(57)【要約】  【課題】背座構造体に肘を見栄え良く簡単に取り付ける上で有用となる新たな構造の椅子を提供する。  【解決手段】背座構造体１に止め輪保持部３を設けて止め輪を保持し、その止め輪に軸２１ａを挿し通して抜脱を規制させることによって、軸２１ａの挿通時に背座構造体１に肘２１を取り付けるようにしているので、工程の最後で外面側からねじで肘２１を固定する構造を採用せずとも、必ずしも背座構造体１の組立途中で肘２１を取り付ける必要がなくなり、これにより組立工程に自由度が得られて、高い作業効率の下に椅子を製造することができる。  【選択図】図５
2008144822.tif 000002
【特許請求の範囲】
【請求項１】
第１の家具要素に止め輪保持部を設けて止め輪を保持し、その止め輪に軸を挿し通して抜脱を規制した状態で、当該軸によって前記第１の家具要素に第２の家具要素を取り付けてなることを特徴とする家具。
【請求項２】
第１の家具要素に止め輪保持部を設け、この止め輪保持部に、軸を挿し通した場合に抜脱を規制する機能を備えた止め輪を保持させてなることを特徴とする家具。
【請求項３】
止め輪保持部は、軸の挿し込み方向に対して緊密に且つそれと直交する方向に対して遊動し得るように止め輪を保持するものである請求項１又は２記載の家具。
【請求項４】
第１の家具要素の外面の一部に軸通過部を設定し、その軸通過部の内側に止め輪保持部を形成して、軸通過部を通過させた軸を止め輪保持部の止め輪に係り合わせるようにしている請求項１〜３記載の家具。
【請求項５】
外面が外装材で被覆され、外装材を破って軸が挿し込まれる請求項４記載の家具。
【請求項６】
止め輪保持部には、止め輪を収容した状態で脱落防止部が設けてある請求項１〜５何れかに記載の家具。
【請求項７】
止め輪保持部は、一部に投入口を有したポケット状のものであり、脱落防止部がその投入口を閉止するものである請求項６記載の家具。
【請求項８】
止め輪保持部が、外面に沿ってその内側に配置したブラケットにより構成され、このブラケットは第１の家具要素の剛性のある部位に支持されて、外面の軸通過部に対応する部位に軸通過部を有している請求項６又は７記載の家具。
【請求項９】
第１の家具要素が、中実の内部に予め止め輪保持部を埋設して止め輪を保持させたものである請求項１〜８記載の家具。
【請求項１０】
第１の家具要素が、中空の内部に予め止め輪保持部を配置して止め輪を保持させたものである請求項１〜８記載の家具。
【請求項１１】
第２の家具要素がパイプ材によって構成され、第１の家具要素への取付面側に軸を一体的に突出させるとともに、反取付面側の軸端部はパイプ材内に収まるか若しくはパイプ材を貫通した位置にて面一加工処理が施されている請求項１〜１０記載の家具。
【請求項１２】
第１の家具要素が背座構造体であり、第２の家具要素が肘である請求項１〜１１記載の家具。
【発明の詳細な説明】
【技術分野】
【０００１】
本発明は、軸を挿し通すだけで第１の家具要素に第２の家具要素を取り付け得るようにした家具に関するものである。
【背景技術】
【０００２】
例えば、背座構造体に肘を取り付ける場合、特許文献１に示すように肘の外面よりネジを挿し通して背座構造体に固定するのが通例であるが、このようにすると、ネジ頭が露出して外観が損なわれ、これを隠蔽するためには別途にカバー等が必要になる。そこで、ネジ頭を露出させない手法として、肘の取付面側にのみ突出させ反取付面側には表出させないように設けた軸を背座構造体の対応部位に設けた軸通過部に通過させ、その通過端にナット部材を嵌め合わせて肘を固定する構造が採用される場合がある。
【特許文献１】特開平１１−１１３６７５号公報
【発明の開示】
【発明が解決しようとする課題】
【０００３】
しかしながら、このような構造によると、完成状態でナット部材が背座構造体の内部に埋設或いは隠蔽される椅子等においては、背座構造体の組立途中に肘の取付工程を割り込ませなければならず、円滑な作業の流れが阻害されるおそれがある。特に、肘を後付けしようとする場合は、一旦背座構造体を分解し、背座構造体の一部を開いてナット部材を嵌め合わせなければならないため、実際問題として肘のオプション化は容易ならざるものとなる。
【０００４】
これらの不都合は、背座構造体に表装材を被せる場合に更に顕著であり、肘付きの背座構造体に対して表装材を被せるためには表装材の形状や縫製が複雑となるし、肘の有無によって表装材の形状や縫製の仕方も変わってくるという非効率さを伴う。
【０００５】
本発明は、このような課題に着目してなされたものであって、背座構造体等の家具要素に肘等の他の家具要素を見栄え良く簡単に取り付ける上で有用となる新たな構造の家具を提供しようとするものである。
【課題を解決するための手段】
【０００６】
本発明は、かかる目的を達成するために、次のような手段を講じたものである。
【０００７】
すなわち、本発明の家具は、第１の家具要素に止め輪保持部を設けて止め輪を保持し、その止め輪に軸を挿し通して抜脱を規制した状態で、当該軸によって前記第１の家具要素に第２の家具要素を取り付けてなることを特徴とする。
【０００８】
このように構成すると、必ずしも第１の家具要素の組立途中で第２の家具要素を取り付ける必要がないため、組立工程に自由度が得られ、第２の家具要素を後付けすることも容易に可能となる。そして、軸の固定機能が内部に存するため、軸は打ち込むだけのもので足り、ねじを用いた場合ように頭部が大きく露出して外観を損ねる不具合を好適に解消することができる。
【０００９】
或いは、本発明の家具は、第１の家具要素に止め輪保持部を設け、この止め輪保持部に、軸を挿し通した場合に抜脱を規制する機能を備えた止め輪を保持させてなることを特徴とする。
【００１０】
このように構成しておきさえすれば、第２の家具要素を随時随所において取り付けることができるので、オプション化等にも容易に対応することが可能となる。
【００１１】
止め輪保持部に対する軸の柔軟な取り付けの態様を可能にするためには、止め輪保持部は、軸の挿し込み方向に対して緊密に且つそれと直交する方向に対して遊動し得るように止め輪を保持していることが望ましい。
【００１２】
第１の家具要素の良好な外観を確保しつつ、第２の家具要素の後付けを可能にするためには、第１の家具要素の外面の一部に軸通過部を設定し、その軸通過部の内側に止め輪保持部を形成して、軸通過部を通過させた軸を止め輪保持部の止め輪に係り合わせるようにしていることが有効である。
【００１３】
特に、第２の家具要素の有無に拘わらず外装材を一律に取り付け可能とするためには、外面が外装材で被覆され、外装材を破って軸が挿し込まれるようにしておくことが効果的である。
【００１４】
止め輪が不慮に脱落して後付け機能等が損なわれることを有効に防止するためには、止め輪保持部に、止め輪を収容した状態で脱落防止部を設けておくことが好ましい。
【００１５】
止め輪保持部の好適な実施の態様としては、一部に投入口を有したポケット状をなし、脱落防止部をその投入口を閉止するように設けておくようにしたものが挙げられる。
【００１６】
止め輪保持部を構成するにあたり、その外観と剛性を確保しつつ軸の適切な取付機能を実現するためには、止め輪保持部が、外面に沿ってその内側に配置したブラケットにより構成され、このブラケットは第１の家具要素の剛性のある部位に支持されて、外面の軸通過部に対応する部位に軸通過部を有しているものが効果的である。
【００１７】
本発明は、第１の家具要素が中実の内部に予め止め輪保持部を埋設して止め輪を保持させている場合や、第１の家具要素が中空の内部に予め止め輪保持部を配置して止め輪を保持させている場合に特に有用なものとなる。
【００１８】
第２の家具要素がパイプ材によって構成される場合に、パイプ材から軸を適切に突出させるためには、第１の家具要素への取付面側に軸を一体的に突出させ、反取付面側の軸端部はパイプ材内に収まるか若しくはパイプ材を貫通した位置にて面一加工処理が施されていることが望ましい。
【００１９】
本発明は、以上説明した構成であるから、第１の家具要素が背座構造体であり、第２の家具要素が肘である家具に適用して特に有用なものとなり得る。
【発明の効果】
【００２０】
本発明は、以上説明した構成であるから、背座構造体等の家具要素に肘等の他の家具要素を後付けでも見栄え良く簡単に取り付けることができ、これにより他の家具要素の取り付けに係る作業効率を有効に向上させて工数やコストの削減に資するとともに、他の家具要素のオプション化も有効に果たすことが可能となる。
【発明を実施するための最良の形態】
【００２１】
以下、本発明の一実施形態を、図面を参照して説明する。
【００２２】
図１及び図２は、本発明の家具である椅子を示している。この椅子は、第１の家具要素である背座構造体１に、脚体２の一部に形成した第２の家具要素である肘２１を取り付けるようにしたものであり、その際、肘２１の一部に設けた軸２１ａを背座構造体１の側面に設定した軸通過部１ｘに挿し通すだけで、背座構造体１への肘２１の取り付けを完了するようにしている。
【００２３】
背座構造体１は、図３〜図５に示すように、少なくとも木製合板からなる背板部１１及び座板部１２を有し、その背板部１１の前面から座板部１２の上面に亘る部位にクッション材１３を配置したものである。その際、肘２の取付箇所となる背側面に軸通過部１ｘを設定し、その内側に予め図３〜図６に示す止め輪保持部３を形成して、この止め輪保持部３に図６及び図７に示す止め輪４を保持させている。そして、組み付けた背座構造体１の表面を図１及び図２に示す表装材１４で被覆している。
【００２４】
止め輪保持部３は、図３〜図６に示すように、背板部１１に基端片３１ａを取り付けるとともに側片３１ｂを背側面に沿ってその内面に配置したアングル状をなす鉄板製のブラケット３１と、このブラケット３１の側片３１ｂに所定距離を隔てて溶接等により取り付けた鉄板製の閉止板３２とからなるもので、溶接途中にブラケット３１の側片３１ｂと閉止板３２との間隙に止め輪４を投入し、その状態で止め輪４が脱落しないように、側片３１ｂ及び閉止板３２の適宜部位間に図６に例示するような溶接による脱落防止部３ｘを形成している。収容された止め輪４の周囲には、軸２１の挿し込み方向Ｘに対して緊密に且つそれと直交する方向Ｙ、Ｚに対して遊動し得る隙間が確保されている。ブラケット３１の側片３１ｂ及び閉止板３２には軸通過部たる貫通孔３１ｂ１、３２ａが設けられている。閉止板３２はブラケット３１の一部として折り曲げにより形成してもよい。
【００２５】
このように保持される止め輪４は、いわゆるスピードナットと称される類の、焼入れ処理等による高い硬度を有するもので、図７に示すように、板体４１の一部に貫通孔４２を設けるとともに、その内縁の一部に一方向への切り起こし片４２ａを形成しており、収容位置で図６に示すように貫通孔４２がブラケット３１の側片３１ｂの貫通孔３１ｂ１及び閉止板３２の貫通孔３２ａに少なくとも一部合致するように配置される。この貫通孔４２が他の貫通孔３１ｂ１、３２ａに比して最も小径に設けられている。止め輪４の機能は、切り起こされた方向と反対側から図６及び図７に矢印Ｘで示すように切り起こし片４２を開くようにして軸２１を一旦挿し込むと、軸２１が矢印Ｘと逆方向に抜脱しようとする際に切り起こし片４２ａが、止め輪４に対して相対的に軟鋼とされる軸２１の外周に突き刺さって抜脱を規制するものである。
【００２６】
そして、この背座構造体１を、図２〜図４に示すようにパイプ材からなる脚体２の座受部に上載するようにしている。この脚体２は、前脚２２及び肘２１の機能を担う左右一対の前フレーム２ａと、後脚２３及び座受枠２４の機能を担う左右一対の後フレーム２ｂと、左右の前フレーム２ａの前脚２２，２２間に架設した前連結フレーム２ｃと、左右の後フレーム２ｂの座受枠２４，２４間に架設した座受フレーム２ｄとからなる自立性を有したもので、左右の座受枠２４や前連結フレーム２ｃ、座受フレーム２ｄ等を座受部として背座構造体１を上載し、座板部１２の下面を座受フレーム２ｄにねじ２５（図４参照）を用いて固定するようにしている。この背座構造体１を構成する肘２１となる部分、つまり前フレーム２ａの後端付近には、背座構造体１に対する取付面側に突出する先端のやや尖った軸２１ａが一体的に設けてある。この軸２１ａの取付例としては、図８（ａ）に示すように、予め前フレーム２ｃを構成するパイプ材２００の取付面２００ａ側の壁および反取付面２００ｂ側の壁に軸２１ａを貫通させて軸２１ａとパイプ材２００の間の適宜部位を溶接し、しかる後、同図（ｂ）に示すように反取付面２００ｂ側の突出部分をカットして軸２１ａと周囲のパイプ材２００の表面が面一となるように研磨したものである。勿論、軸２１ａをしっかり固定できれば、このような面一加工処理を施さずとも、当初より軸２１ａを反取付面２００ｂ側に表出させない構造にしてもよい。
【００２７】
そして、図２及び図５に示すように、前フレーム２ａを一時的に肘２１，２１間の距離が広がる方向に若干変形させつつ、軸２１ａを背座構造体１の背側面に設定した軸通過部１ｘに向けて打ち込むことにより、軸２１ａが表装材１４を破って軸通過部１ｘを通過し、図６の状態から図３に示すようにその内側に待機している止め輪４の貫通孔４２に挿し込まれて抜脱を規制されるようにしている。
【００２８】
以上のように、本実施形態の椅子は、第１の家具要素である背座構造体１に止め輪保持部３を設けて止め輪４を保持し、その止め輪４に軸２１ａを挿し通して抜脱を規制させることによって、軸２１ａの挿通時に背座構造体１に第２の家具要素である肘２１を取り付けるようにしているので、工程の最後で外面側からねじで肘２１を固定する構造を採用せずとも、背座構造体１の組立途中で肘２１を取り付ける必要がなくなり、これにより組立工程に自由度が得られて、高い作業効率の下に椅子を製造することができる。そして、このように軸２１ａの固定機能が内部に存することで、軸２１ａは打ち込むだけのもので足り、ねじを用いた場合ように頭部が大きく露出して外観を損ねる不都合を好適に解消することができる。
【００２９】
そして、本実施形態のように背座構造体１に止め輪保持部３を設けて止め輪４を保持させておきさえすれば、肘２１ａをオプション的に後付けすることもできるので、脚体２に肘無しのフレーム構造を採用して椅子を構成し、このような椅子に後付で肘２１を取り付ける態様も容易に実施することが可能となる。
【００３０】
特に、本実施形態の止め輪保持部３は、軸２１ａの挿し込み方向Ｘに対して緊密に且つそれと直交する方向Ｙ、Ｚに対して遊動し得るように止め輪４を保持するものであるので、軸２１ａの挿し込み位置に多少のずれがあっても、軸２１ａを挿し通す際に止め輪４を呼び込みつつこれに挿し通されることになる。このため、本実施形態のように肘２１がフレーム構造をなす脚体２の一部に一体的に構成されていて、背座構造体１に肘２１を組み付ける際に一時的に前フレーム２ａ、２ａ間を開きながら取付時とは若干異なる方向、位置から軸２１ａを挿し込まなければならない事情がある場合にも、支障なく軸２１ａの打ち込みを完了することができる。
【００３１】
具体的には、背座構造体１の外面の一部に軸通過部１ｘを設定し、その軸通過部１ｘの内側に止め輪保持部３を形成して、軸通過部１ｘを通過させた軸２１ａを止め輪保持部３の止め輪４に係り合わせるようにしており、本実施形態のように止め輪４が背座構造体１のクッション材１３や表装材１４内に埋設された状態にあっても、外部から肘２１ａを当てがい、背座構造体１の軸通過部１ｘに軸２１ａを打ち込むだけで、軸２１ａの抜脱を防止しつつ肘２１を背座構造体１に取り付けることができる。このため、良好な外観を確保しつつ、肘２１の取り付けや後付けを有効に行うことが可能となる。
【００３２】
特に、外面が外装材１４で被覆されており、外装材１４を破って軸２１ａが挿し込まれるようにしているので、外装材１４を肘２１を避けて装着するといった煩わしい作業が不要であり、単純な形状の背座構造体１を外装材１４で包み、軸２１ａを打ち込むだけで簡単かつ見栄え良く外装材１４の取り付けを完了することができる。そして、外装材１４に肘付きの椅子と肘無しの椅子とで共通のものを用いることができる利点も伴う。
【００３３】
また、上記の構造は止め輪保持部３から止め輪４が外れると逆に面倒な事態になるが、この実施形態の止め輪保持部３には、止め輪４を収容した状態で脱落防止部３ｘが設けてあるので、背座構造体１を脚体２に取り付ける際や運搬の際に傾いたり天地逆になることがあっても、肘２１の後付け機能を適切に担保することができる。
【００３４】
その止め輪保持部３は、背側面に沿ってその内側に配置したブラケット３１により構成され、このブラケット３１は背座構造体１の剛性のある背板部１１に支持されて、外面の軸通過部１ｘに対応する部位に軸通過部３２ａを設けたものであるため、軸２１ａの適切な挿し込み状態を担保しつつ、肘２１に対する有効な支持強度を発揮するものとなる。
【００３５】
そして、このように背座構造体１が、中実の内部に予め止め輪保持部３を埋設して止め輪４を保持させたものであるので、クッション材１４を剥がしたり破砕したりすることなく有効に肘２１の後付けを行うことができる。
【００３６】
さらに、肘２１がパイプ材２００によって構成され、背座構造体１への取付面２００ａ側に軸２１ａを一体的に突出させ、反取付面側の軸端部はパイプ材２００を貫通した位置にて反取付面２００ｂと面一となるように加工処理が施されているため、組立工程の最後にねじ止めする場合に比して軸端部を殆ど目立たなくすることができ、見栄えを有効に向上させることができる。
【００３７】
特に、本実施形態の椅子は、第１の家具要素である背座構造体１と第２の家具要素である肘２１との間に適用されるものであり、肘２１の有無で表装材１４の仕様を変える必要もなく、肘２１をオプション仕様とすることもできるなど、本発明を適用して特に有用なものとなり得る。
【００３８】
なお、各部の具体的な構成は、上述した実施形態のみに限定されるものではない。
【００３９】
例えば、図９（ａ）に示すように、止め輪保持部１０３を一部に投入口１０３ｘを有したポケット状のものとし、同図（ｂ）のように脱落防止部１０３ｙによりその投入口１０３ｘを閉止するようにした構造も有効である。図示のものは板金の折曲げのみによって構成してある。このようにすると、止め輪保持部１０３を簡単に構成できて、止め輪の収容作業が簡素化され、その収容状態にも確実性を期することができる。
【００４０】
また、第１の家具要素がクッション材等の充填物を有さない中空部を有する場合にも、その中空部に予め止め輪保持部を配置して止め輪を保持させておくことが有効である。この場合にも、中空部を開くことなく第２の家具要素を取り付けることができので、上記実施形態と全く同様の効果が奏されることとなる。
【００４１】
さらに、上記実施形態では第１の家具要素を背座構造体とし、第２の家具要素を肘としているが、本発明はこれ以外にも第１の家具要素及び第２の家具要素の種々の組み合わせに対応することができる。
【００４２】
その他、止め輪にいわゆるロックナット等と称される同様の機能を有したものを用いるなど、本発明の趣旨を逸脱しない範囲で種々変形が可能である。
【図面の簡単な説明】
【００４３】
【図１】本発明の一実施形態に係る椅子の斜視図。
【図２】同分解斜視図。
【図３】同正面図。
【図４】同右側面図。
【図５】同要部拡大透視図。
【図６】同実施形態の止め輪保持部を示す図。
【図７】同実施形態の止め輪を示す図。
【図８】同実施形態における軸の取付構造を示す図。
【図９】止め輪保持部の変形例を示す図。
【符号の説明】
【００４４】
１…背座構造体（第１の家具要素）
３…止め輪保持部
３ｘ…脱落防止部
４…止め輪
１４…外装材
２１…肘（第２の家具要素）
２１ａ…軸
３１…ブラケット
２００…パイプ材
２００ａ…取付面
２００ｂ…反取付面
Ｘ…軸の挿し込み方向
Ｙ，Ｚ…軸の挿し込み方向と直交する方向
【図１】
2008144822.tif 000003
【図２】
2008144822.tif 000004
【図３】
2008144822.tif 000005
【図４】
2008144822.tif 000006
【図５】
2008144822.tif 000007
【図６】
2008144822.tif 000008
【図７】
2008144822.tif 000009
【図８】
2008144822.tif 000010
【図９】
2008144822.tif 000011